(57)【要約】【課題】  光波長多重アクセスシステムの光ネットワークユニットにおいて、光デマルチプレクサを用いることなく光送信器（光源）を共通の構成とする。【解決手段】  広帯域の上り信号光を送信する光送信器と、所定の波長の下り信号光を受信する光受信器と、上り信号光と下り信号光の各波長帯域を多重分離する特性を有する波長フィルタと、広帯域の上り信号光波長のうちの１波長と複数の下り信号光波長のうちの１波長の合計２波長を透過（または反射）する特性を有する周期的波長フィルタとを備え、光送信器から送信された広帯域の上り信号光は波長フィルタを介して周期的波長フィルタに入力され、所定の波長を切り出して出力するとともに、波長多重された下り信号光は周期的波長フィルタに入力して所定の波長を選択し、波長フィルタを介して光受信器に入力する構成である。【選択図】        図１
2006129043.tif 000002
【特許請求の範囲】
【請求項１】
光サービスユニット（ＯＳＵ）と複数ｎ個の光ネットワークユニット（ＯＮＵ）が光ファイバ伝送路を介して１：ｎに接続され、ＯＳＵから各ＯＮＵへの下り信号光と各ＯＮＵからＯＳＵへの上り信号光の波長帯域が重ならないように配置し、各ＯＮＵごとに割り当てた波長の下り信号光および上り信号光を波長多重伝送する光波長多重アクセスシステムの光ネットワークユニットにおいて、
広帯域の上り信号光を送信する光送信器と、所定の波長の下り信号光を受信する光受信器と、上り信号光と下り信号光の各波長帯域を多重分離する特性を有する波長フィルタと、広帯域の上り信号光波長のうちの１波長と複数の下り信号光波長のうちの１波長の合計２波長を透過（または反射）する特性を有する周期的波長フィルタとを備え、
前記光送信器および前記光受信器は、前記波長フィルタを介して前記周期的波長フィルタに接続され、さらに前記周期的波長フィルタを介して前記光ファイバ伝送路に接続され、前記光送信器から送信された広帯域の上り信号光は前記波長フィルタを介して前記周期的波長フィルタに入力され、所定の波長を切り出して出力するとともに、前記波長多重された下り信号光は前記周期的波長フィルタに入力して所定の波長を選択し、前記波長フィルタを介して前記光受信器に入力する構成である
ことを特徴とする光ネットワークユニット。
【請求項２】
請求項１に記載の光ネットワークユニットにおいて、
前記周期的波長フィルタは、機械的または電気的にその透過（または反射）波長を変化させ、前記２波長を同時に変化させる可変波長フィルタであることを特徴とする光ネットワークユニット。
【請求項３】
請求項１に記載の光ネットワークユニットにおいて、
前記周期的波長フィルタは、共振器長を制御してその透過（または反射）波長を変化させ、前記２波長を同時に変化させるファブリペロー型光フィルタであることを特徴とする光ネットワークユニット。
【請求項４】
光サービスユニット（ＯＳＵ）と複数ｎ個の光ネットワークユニット（ＯＮＵ）が光ファイバ伝送路を介して１：ｎに接続され、各ＯＮＵごとに割り当てた波長の下り信号光および上り信号光を波長多重伝送する光波長多重アクセスシステムの光ネットワークユニットにおいて、
広帯域の上り信号光を送信する光送信器と、所定の波長の下り信号光を受信する光受信器と、入出力位置によって透過（または反射）波長が異なり、広帯域の上り信号光波長のうちの１波長と複数の下り信号光波長のうちの１波長の合計２波長を透過（または反射）する特性を有する波長フィルタとを備え、
前記光送信器および前記光受信器は、前記波長フィルタを介して前記光ファイバ伝送路に接続され、前記光送信器から送信された広帯域の上り信号光は前記波長フィルタに入力され、所定の波長を切り出して前記光ファイバ伝送路に出力するとともに、前記波長多重された下り信号光は前記波長フィルタに入力し、所定の波長を選択して前記光受信器に入力する構成である
ことを特徴とする光ネットワークユニット。
【請求項５】
請求項４に記載の光ネットワークユニットにおいて、
前記波長フィルタは、第１の入出力位置では、前記広帯域の上り信号光波長のうちの１波長を透過するとともに他の波長を反射し、第２の入出力位置では前記複数の下り信号光波長のうちの１波長を透過するとともに他の波長を反射する特性を有し、前記光送信器から送信された広帯域の上り信号光を前記第１の入出力位置から入力して所定の波長を切り出して前記光ファイバ伝送路に出力し、前記光ファイバ伝送路から入力する前記波長多重された下り信号光を前記第１の入出力位置から入力して反射させ、前記第２の入出力位置から再入力して所定の波長を選択して出力する構成であることを特徴とする光ネットワークユニット。
【請求項６】
請求項４に記載の光ネットワークユニットにおいて、
前記波長フィルタは、第１の入出力位置では、前記広帯域の上り信号光波長のうちの１波長を透過するとともに他の波長を反射し、第２の入出力位置では前記複数の下り信号光波長のうちの１波長を透過するとともに他の波長を反射する特性を有し、前記光送信器から送信された広帯域の上り信号光を前記第１の入出力位置から入力して所定の波長を切り出して第２の入出力位置から再入力し、反射させて前記光ファイバ伝送路に出力し、前記光ファイバ伝送路から入力する前記波長多重された下り信号光を前記第２の入出力位置から入力して所定の波長を選択して出力する構成であることを特徴とする光ネットワークユニット。
【請求項７】
光サービスユニット（ＯＳＵ）と複数ｎ個の光ネットワークユニット（ＯＮＵ）が光ファイバ伝送路を介して１：ｎに接続され、各ＯＮＵごとに割り当てた波長の下り信号光および上り信号光を波長多重伝送する光波長多重アクセスシステムの光ネットワークユニットにおいて、
広帯域の上り信号光を送信する光送信器と、所定の波長の下り信号光を受信する光受信器と、上り信号光と下り信号光を分離する分離手段と、入出力位置によって透過（または反射）波長が異なり、広帯域の上り信号光波長のうちの１波長と複数の下り信号光波長のうちの１波長の合計２波長を透過（または反射）する特性を有する波長フィルタとを備え、
前記光送信器および前記光受信器は、前記波長フィルタを介して分離手段に接続され、さらに分離手段を介して前記光ファイバ伝送路に接続され、前記光送信器から送信された広帯域の上り信号光は前記波長フィルタに入力され、所定の波長を切り出し、前記分離手段を介して前記光ファイバ伝送路に出力するとともに、前記波長多重された下り信号光は前記分離手段を介して前記波長フィルタに入力し、所定の波長を選択して前記光受信器に入力する構成である
ことを特徴とする光ネットワークユニット。
【請求項８】
請求項４または請求項７に記載の光ネットワークユニットにおいて、
前記波長フィルタは、機械的に入出力位置を変化させてその透過（または反射）波長を変化させ、前記２波長を同時に変化させる可変波長フィルタであることを特徴とする光ネットワークユニット。
【発明の詳細な説明】
【技術分野】
【０００１】
本発明は、光波長多重アクセスシステムに用いられる光ネットワークユニット（ＯＮＵ）に関する。
【背景技術】
【０００２】
図７は、従来の光波長多重アクセスシステムの構成例を示す（特許文献１）。図において、光サービスユニット（ＯＳＵ）５０とユーザ１〜ｎ（ｎは２以上の整数）の光ネットワークユニット（ＯＮＵ）６０−１〜６０−ｎは、光ファイバ伝送路７１および光パワースプリッタ（光カプラ）７２を介して１：ｎに接続されている。
【０００３】
ＯＳＵ５０は、複数の光送信器５１−１〜５１−ｎと波長多重器５２から構成される。各光送信器５１−１〜５１−ｎは、互いに異なる波長の下り信号光を出力する。波長多重器５２は、各光送信器から送信された下り信号光を波長多重し、波長多重信号光として光ファイバ伝送路７１に送出する。この波長多重信号光は、光パワースプリッタ７２でｎ分岐して各ＯＮＵ６０に伝送される。ユーザｋのＯＮＵ６０は、波長選択フィルタ６１と光受信器６２から構成される。波長選択フィルタ６１は、波長多重信号光からユーザｋのＯＮＵ６０に割り当てられた波長の下り信号光を選択する。光受信器６２は、波長選択された下り信号光の受信処理を行う。他のＯＮＵにおいてもそれぞれ割り当てられた波長の下り信号光の受信処理を行う。
【０００４】
特許文献１には、上り信号光に関する記述はないが、各ＯＮＵ６０が互いに異なる波長の上り信号光を送出するようにすれば、各上り信号光は光パワースプリッタ７２で波長多重されてＯＳＵ５０に到達する。ＯＳＵ５０では、波長多重された各ＯＮＵからの上り信号光を波長多重分離し、それぞれ光受信器で受信処理することにより、ＯＳＵと各ＯＮＵ間で双方向通信が可能になる。
【０００５】
ところで、複数のＯＮＵが互いに異なる波長を利用し、ＯＳＵに対して上り方向の通信を行う場合に、各ＯＮＵに備えられる光送信器（光源）の構成を共通化する手法として、スペクトラムスライシング法がある。特許文献２は、各ＯＮＵの光源として、広い波長スペクトル幅を有する広帯域光源（ブロードバンドソース）を用いる方法を提示している。この方法では、図７の光パワースプリッタ７２の代わりに、入力（出力）ポートによって透過波長が異なる光デマルチプレクサを配置し、各ＯＮＵから送信された広帯域の上り信号光を光デマルチプレクサでスペクトラムスライシングする。そして、光デマルチプレクサの各ポートごとの透過波長と各ＯＮＵを対応付けることにより、ＯＳＵに対して上り方向の通信を行うことができる。
【特許文献１】特公平３−４４７０１号公報
【特許文献２】特開平８−８８７８号公報
【発明の開示】
【発明が解決しようとする課題】
【０００６】
スペクトラムスライシング法により各ＯＮＵに備えられる光送信器（光源）の構成を共通化するには、光パワースプリッタ７２の代わりに光デマルチプレクサを利用する必要があった。
【０００７】
本発明は、光波長多重アクセスシステムにおいて、光デマルチプレクサを用いることなく光送信器（光源）を共通の構成とすることができる光ネットワークユニットを提供することを目的とする。
【課題を解決するための手段】
【０００８】
第１の発明は、光サービスユニット（ＯＳＵ）と複数ｎ個の光ネットワークユニット（ＯＮＵ）が光ファイバ伝送路を介して１：ｎに接続され、ＯＳＵから各ＯＮＵへの下り信号光と各ＯＮＵからＯＳＵへの上り信号光の波長帯域が重ならないように配置し、各ＯＮＵごとに割り当てた波長の下り信号光および上り信号光を波長多重伝送する光波長多重アクセスシステムの光ネットワークユニットにおいて、広帯域の上り信号光を送信する光送信器と、所定の波長の下り信号光を受信する光受信器と、上り信号光と下り信号光の各波長帯域を多重分離する特性を有する波長フィルタと、広帯域の上り信号光波長のうちの１波長と複数の下り信号光波長のうちの１波長の合計２波長を透過（または反射）する特性を有する周期的波長フィルタとを備え、光送信器および光受信器は、波長フィルタを介して周期的波長フィルタに接続され、さらに周期的波長フィルタを介して光ファイバ伝送路に接続され、光送信器から送信された広帯域の上り信号光は波長フィルタを介して周期的波長フィルタに入力され、所定の波長を切り出して出力するとともに、波長多重された下り信号光は周期的波長フィルタに入力して所定の波長を選択し、波長フィルタを介して光受信器に入力する構成である。
【０００９】
第１の発明に用いる周期的波長フィルタは、機械的または電気的にその透過（または反射）波長を変化させ、２波長を同時に変化させる可変波長フィルタである。また、共振器長を制御してその透過（または反射）波長を変化させ、２波長を同時に変化させるファブリペロー型光フィルタである。
【００１０】
第２の発明は、光サービスユニット（ＯＳＵ）と複数ｎ個の光ネットワークユニット（ＯＮＵ）が光ファイバ伝送路を介して１：ｎに接続され、各ＯＮＵごとに割り当てた波長の下り信号光および上り信号光を波長多重伝送する光波長多重アクセスシステムの光ネットワークユニットにおいて、広帯域の上り信号光を送信する光送信器と、所定の波長の下り信号光を受信する光受信器と、入出力位置によって透過（または反射）波長が異なり、広帯域の上り信号光波長のうちの１波長と複数の下り信号光波長のうちの１波長の合計２波長を透過（または反射）する特性を有する波長フィルタとを備え、光送信器および光受信器は、波長フィルタを介して光ファイバ伝送路に接続され、光送信器から送信された広帯域の上り信号光は波長フィルタに入力され、所定の波長を切り出して光ファイバ伝送路に出力するとともに、波長多重された下り信号光は波長フィルタに入力し、所定の波長を選択して光受信器に入力する構成である。
【００１１】
第２の発明に用いる波長フィルタは、第１の入出力位置では、広帯域の上り信号光波長のうちの１波長を透過するとともに他の波長を反射し、第２の入出力位置では複数の下り信号光波長のうちの１波長を透過するとともに他の波長を反射する特性を有し、光送信器から送信された広帯域の上り信号光を第１の入出力位置から入力して所定の波長を切り出して光ファイバ伝送路に出力し、光ファイバ伝送路から入力する波長多重された下り信号光を第１の入出力位置から入力して反射させ、第２の入出力位置から再入力して所定の波長を選択して出力する構成である。
【００１２】
第２の発明に用いる波長フィルタは、第１の入出力位置では、広帯域の上り信号光波長のうちの１波長を透過するとともに他の波長を反射し、第２の入出力位置では複数の下り信号光波長のうちの１波長を透過するとともに他の波長を反射する特性を有し、光送信器から送信された広帯域の上り信号光を第１の入出力位置から入力して所定の波長を切り出して第２の入出力位置から再入力し、反射させて光ファイバ伝送路に出力し、光ファイバ伝送路から入力する波長多重された下り信号光を第２の入出力位置から入力して所定の波長を選択して出力する構成である。
【００１３】
第３の発明は、光サービスユニット（ＯＳＵ）と複数ｎ個の光ネットワークユニット（ＯＮＵ）が光ファイバ伝送路を介して１：ｎに接続され、各ＯＮＵごとに割り当てた波長の下り信号光および上り信号光を波長多重伝送する光波長多重アクセスシステムの光ネットワークユニットにおいて、広帯域の上り信号光を送信する光送信器と、所定の波長の下り信号光を受信する光受信器と、上り信号光と下り信号光を分離する分離手段と、入出力位置によって透過（または反射）波長が異なり、広帯域の上り信号光波長のうちの１波長と複数の下り信号光波長のうちの１波長の合計２波長を透過（または反射）する特性を有する波長フィルタとを備え、光送信器および光受信器は、波長フィルタを介して分離手段に接続され、さらに分離手段を介して光ファイバ伝送路に接続され、光送信器から送信された広帯域の上り信号光は波長フィルタに入力され、所定の波長を切り出し、分離手段を介して光ファイバ伝送路に出力するとともに、波長多重された下り信号光は分離手段を介して波長フィルタに入力し、所定の波長を選択して光受信器に入力する構成である。
【００１４】
第２の発明または第３の発明に用いる波長フィルタは、機械的に入出力位置を変化させてその透過（または反射）波長を変化させ、２波長を同時に変化させる可変波長フィルタである。
【発明の効果】
【００１５】
本発明の光ネットワークユニット（ＯＮＵ）は、広帯域の上り信号光をスペクトラムスライシングして所定の波長の上り信号光を送信し、波長多重された下り信号光から所定の波長の下り信号光を選択して受信する構成であるので、ＯＮＵとＯＳＵ間に光デマルチプレクサを用いることなく各ユーザに対応するＯＮＵの構成の共通化を図ることができる。  
【００１６】
さらに、上り信号光のスペクトラムスライシングを行う波長フィルタと、下り信号光の波長選択を行う波長フィルタを共通化することにより、ＯＮＵの構成の簡素化を図ることができる。
【発明を実施するための最良の形態】
【００１７】
（第１の実施形態）
図１は、本発明の光ネットワークユニットの第１の実施形態を含む光波長多重アクセスシステムの構成例を示す。
【００１８】
図において、光サービスユニット（ＯＳＵ）５０とユーザ１〜ｎ（ｎは２以上の整数）の光ネットワークユニット（ＯＮＵ）１０−１〜１０−ｎは、光ファイバ伝送路７１および光パワースプリッタ（光カプラ）７２を介して１：ｎに接続される。ここでは、ＯＳＵから各ＯＮＵへの下り信号光と、各ＯＮＵからＯＳＵへの上り信号光の波長帯域が重ならないように分離あるいは隣接するものとする。
【００１９】
ユーザｋのＯＮＵ１０（他のユーザ１〜ｎのＯＮＵも同様）は、光送信器１１、光受信器１２、上り信号光と下り信号光の各波長帯域を多重分離する特性を有する波長フィルタ（ＷＤＭ）１３、周期的透過特性を有する周期的波長フィルタ１４から構成される。光送信器１１および光受信器１２は、波長フィルタ１３を介して周期的波長フィルタ１４に接続され、さらに周期的波長フィルタ１４を介して光ファイバ伝送路７１に接続される。
【００２０】
ＯＮＵ１０の光送信器１１には広帯域光源を用い、図中に示すような広い波長スペクトル幅を有する上り信号光を送信する。なお、広帯域光源には、例えばスーパー・ルミネッセント・ダイオード（ＳＬＤ）や光増幅器が利用できる。光増幅器を利用する場合には、広い波長スペクトル幅を有する雑音光を送信信号で変調して送信する。
【００２１】
周期的波長フィルタ１４は、広帯域の上り信号光波長のうちの１波長と、複数の下り信号光波長のうちの１波長の合計２波長を透過（または反射）する特性を有する。すなわち、周期的波長フィルタ１４は、少なくとも２つ以上の透過（または反射）ピークを有する。これにより、光送信器１１から送信された広帯域の上り信号光が波長フィルタ１３を介して周期的波長フィルタ１４に入力されると、所定の波長を切り出して出力する。各ＯＮＵから出力される互いに異なる波長の上り信号光は、光パワースプリッタ７２で波長多重されてＯＳＵ５０に伝送される。一方、ＯＳＵ５０から各ＯＮＵ１０に対して波長多重して送信された下り信号光は、ＯＮＵの周期的波長フィルタ１４に入力して所定の波長が選択され、波長フィルタ１３を介して光受信器１２に入力する。このようにして、ＯＳＵ５０から各ＯＮＵ１０との間の双方向の通信が実現する。
【００２２】
本実施形態では、各ＯＮＵ１０の光送信器１１は、広帯域の上り信号光を送信する広帯域光源を用いる構成であるので、各ＯＮＵごとの構成を共通化することができる。ただし、周期的波長フィルタ１４で広帯域の上り信号光から切り出す波長、および波長多重された複数の下り信号光から選択される波長の合計２波長は、各ＯＮＵごとに異なることになる。しかし、２波長を透過する周期的波長フィルタ１４として、機械的または電気的にその透過（または反射）波長を同時に変化させる可変波長フィルタを用いることにより、各ＯＮＵの周期的波長フィルタ１４の構成も共通化することができる。これにより、各ＯＮＵの共通化を実現することができる。
【００２３】
周期的波長フィルタ１４は、例えば共振器長をＬ、次数をｍ（任意の自然数）とした場合に、波長２Ｌ／ｍ近辺の光を透過するファブリペロー型光フィルタを用いることができる。Ｌ＝155 μｍのファブリペロー型光フィルタは、次数ｍ＝100 ，99に対応して波長1550ｎｍ，1565.7ｎｍの透過ピークを有する。周期的波長フィルタ１４の透過特性の例を図２に示す。ファブリペロー型光フィルタは、圧電効果などによって共振器長を制御することにより、上記の２つの透過ピークを同時に変化させることが可能である。この可変特性により、各ＯＮＵ間で異なる２波長が割り当てられる場合にも対応することができる。
【００２４】
周期的波長フィルタ１４の別の例としては、リング共振器型のフィルタであってもよい。このリング共振器型のフィルタについては、例えば文献（Giora Griffel,"Vernier Effect in Asymmetrical Ring Resonator Arrays", IEEE Photonics Technology Letters,  Vol.12,No.12,pp.1642-1644,December 2000)に開示されている。
【００２５】
（第２の実施形態）
図３は、本発明の光ネットワークユニットの第２の実施形態を含む光波長多重アクセスシステムの構成例を示す。
【００２６】
図において、１つの光サービスユニット（ＯＳＵ）５０とユーザ１〜ｎの光ネットワークユニット（ＯＮＵ）１０−１〜１０−ｎは、光ファイバ伝送路７１および光パワースプリッタ（光カプラ）７２を介して１：ｎに接続される。ここでは、ＯＳＵから各ＯＮＵへの下り信号光と各ＯＮＵからＯＳＵへの上り信号光は、下りと上りの各ＯＮＵ対応の波長が交互に配置されるものとする。
【００２７】
ユーザｋのＯＮＵ１０（他のユーザ１〜ｎのＯＮＵも同様）は、光送信器１１、光受信器１２、入出力位置によって透過（または反射）波長が異なるグラデーションフィルタ（波長フィルタ）１５から構成される。光送信器１１および光受信器１２は、グラデーションフィルタ１５を介して光ファイバ伝送路７１に接続される。各ＯＮＵ１０の光送信器１１には、第１の実施形態と同様の広帯域光源が用いられる。
【００２８】
グラデーションフィルタ１５の透過特性の例を図４に示す。本実施形態のグラデーションフィルタ１５は、入出力位置１においてポート１−１，１−２，１−３を有し、入出力位置２においてポート２−１，２−２を有する。図４(1) は、ポート１−１とポート１−２、ポート１−２とポート１−３との間の透過特性を示す。すなわち、ポート１−１からポート１−２（あるいはその逆方向）に対して所定の波長を透過し、ポート１−２からポート１−３（あるいはその逆方向）に対して所定の波長以外の波長を反射する。図４(2) は、ポート２−１とポート２−２との間の入出力特性を示す。すなわち、ポート２−１からポート２−２（あるいはその逆方向）に対して所定の波長を透過する。
【００２９】
本実施形態では、光送信器１１および光受信器１２をそれぞれグラデーションフィルタ１５のポート１−１，２−１に接続し、ポート１−３とポート２−２を接続し、ポート１−２をＯＮＵの入出力ポートとして光ファイバ伝送路７１に接続する構成である。これにより、光送信器１１から送信された広帯域の上り信号光がグラデーションフィルタ１５のポート１−１に入力されると、所定の波長を切り出し、ポート１−２から光ファイバ伝送路７１に出力する。各ＯＮＵから出力される互いに異なる波長の上り信号光は、光パワースプリッタ７２で波長多重されてＯＳＵ５０に伝送される。一方、ＯＳＵ５０から各ＯＮＵ１０に対して波長多重して送信された下り信号光は、ＯＮＵのグラデーションフィルタ１５のポート１−２に入力すると、ポート１−３から出力してポート２−２に入力し、所定の波長を切り出してポート２−１から出力し、光受信器１２に入力する。このようにして、ＯＳＵ５０から各ＯＮＵ１０との間の双方向の通信が実現する。
【００３０】
グラデーションフィルタ１５は、例えば細い板状の透明基板に誘電体多層膜を蒸着して形成することにより、上記の機能を実現できることが知られている。図３，４に示すように、ある方向に沿って膜厚を連続的に変化（漸増または漸減）させることにより、入出力位置により透過（または反射）波長を変えることができる。なお、膜厚変化が不連続であり、入出力位置を離散的に変化させることにより透過（または反射）波長を変えるようにしてもよい。
【００３１】
各ＯＮＵ１０では、グラデーションフィルタ１５の位置、またはこれに光を入出力する手段（例えば光ファイバ）の位置のいずれかを変化させる構成をとることにより、上り信号光波長と下り信号光波長の波長間隔を保ったまま波長を変更することができる。すなわち、各ＯＮＵのグラデーションフィルタ１５の構成を共通化し、光送信器の光源を含む各ＯＮＵの共通化を実現することができる。
【００３２】
また、本実施形態では、ＯＮＵ１０−１〜１０−ｎに対応する上り信号光と、ＯＮＵ１０−１〜１０−ｎに対応する下り信号光が、図３に示すように波長領域で交互に配置されている。このような配置により、１つのＯＮＵにおける上り信号光波長と下り信号光波長を隣接させることができる。上り信号光波長と下り信号光波長が隣接していれば、グラデーションフィルタ１５の製造が容易になる。なお、上り信号光波長と下り信号光波長が離れると、この２波長の波長間隔を正確に保つためにグラデーションフィルタ１５を広範囲に渡ってより均一に作製する生じるが、必ずしも不可能ではない。
【００３３】
（第３の実施形態）
図５は、本発明の光ネットワークユニットの第３の実施形態を含む光波長多重アクセスシステムの構成例を示す。
【００３４】
本実施形態は、第２の実施形態におけるグラデーションフィルタ１５のポート位置が異なる構成である。本実施形態のグラデーションフィルタ１５は、入出力位置１においてポート１−１，１−２を有し、入出力位置２においてポート２−１，２−２，２−３を有する。光送信器１１および光受信器１２をそれぞれグラデーションフィルタ１５のポート１−１，２−１に接続し、ポート１−２とポート２−３を接続し、ポート２−２をＯＮＵの入出力ポートとして光ファイバ伝送路７１に接続する構成である。
【００３５】
これにより、光送信器１１から送信された広帯域の上り信号光がグラデーションフィルタ１５のポート１−１に入力されると、所定の波長を切り出してポート１−２から出力し、さらにポート２−３に入力して反射し、ポート２−２から光ファイバ伝送路７１に出力する。各ＯＮＵから出力される互いに異なる波長の上り信号光は、光パワースプリッタ７２で波長多重されてＯＳＵ５０に伝送される。一方、ＯＳＵ５０から各ＯＮＵ１０に対して波長多重して送信された下り信号光は、ＯＮＵのグラデーションフィルタ１５のポート２−２に入力され、所定の波長を切り出してポート２−１から出力し、光受信器１２に入力する。このようにして、ＯＳＵ５０から各ＯＮＵ１０との間の双方向の通信が実現する。
【００３６】
（第４の実施形態）
図６は、本発明の光ネットワークユニットの第４の実施形態を含む光波長多重アクセスシステムの構成例を示す。
【００３７】
本実施形態は、第２の実施形態および第３の実施形態において、上り信号光と下り信号光を分離する光カプラ（またはＷＤＭフィルタ）１６を備え、グラデーションフィルタ１５の透過波長のみを利用する構成である。本実施形態のグラデーションフィルタ１５は、入出力位置１においてポート１−１，１−２を有し、入出力位置２においてポート２−１，２−２を有する。光送信器１１および光受信器１２をそれぞれグラデーションフィルタ１５のポート１−１，２−１に接続し、ポート１−２，２−２を光カプラ１６の分離側ポートに接続し、光カプラ１６の結合側ポートをＯＮＵの入出力ポートとして光ファイバ伝送路７１に接続する構成である。
【００３８】
これにより、光送信器１１から送信された広帯域の上り信号光がグラデーションフィルタ１５のポート１−１に入力されると、所定の波長を切り出してポート１−２から出力し、さらに光カプラ１６から光ファイバ伝送路７１に出力する。各ＯＮＵから出力される互いに異なる波長の上り信号光は、光パワースプリッタ７２で波長多重されてＯＳＵ５０に伝送される。一方、ＯＳＵ５０から各ＯＮＵ１０に対して波長多重して送信された下り信号光は、ＯＮＵの光カプラ１６からグラデーションフィルタ１５のポート２−２に入力され、所定の波長を切り出してポート２−１から出力し、光受信器１２に入力する。このようにして、ＯＳＵ５０から各ＯＮＵ１０との間の双方向の通信が実現する。
【図面の簡単な説明】
【００３９】
【図１】本発明の光ネットワークユニットの第１の実施形態を含む光波長多重アクセスシステムの構成例を示す図。
【図２】周期的波長フィルタの透過特性の例を示す図。
【図３】本発明の光ネットワークユニットの第２の実施形態を含む光波長多重アクセスシステムの構成例を示す図。
【図４】グラデーションフィルタ１５の透過特性の例を示す図。
【図５】本発明の光ネットワークユニットの第３の実施形態を含む光波長多重アクセスシステムの構成例を示す図。
【図６】本発明の光ネットワークユニットの第４の実施形態を含む光波長多重アクセスシステムの構成例を示す図。
【図７】従来の光波長多重アクセスシステムの構成例を示す図。
【符号の説明】
【００４０】
１０  光ネットワークユニット（ＯＮＵ）
１１  光送信器
１２  光受信器
１３  波長フィルタ（ＷＤＭ）
１４  周期的波長フィルタ
１５  グラデーションフィルタ
１６  光カプラ
５０  光サービスユニット（ＯＳＵ）
５１  光送信器
５２  波長多重器
６０  光ネットワークユニット（ＯＮＵ）
６１  波長選択フィルタ
６２  光受信器
７１  光ファイバ伝送路
７２  光パワースプリッタ
【図１】
2006129043.tif 000003
【図２】
2006129043.tif 000004
【図３】
2006129043.tif 000005
【図４】
2006129043.tif 000006
【図５】
2006129043.tif 000007
【図６】
2006129043.tif 000008
【図７】
2006129043.tif 000009